(57)【特許請求の範囲】
【請求項１】
エアー生成手段を有するとともに供給接続部が設けられたエアー供給装置と、このエアー供給装置からのエアーの給排気によって膨縮する袋体を有しこの袋体に連結ホースを介して接続された被供給接続部が設けられたマッサージ装置と、一端側および他端側にそれぞれ前記供給接続部および被供給接続部に着脱可能に接続される第一の接続部および第二の接続部を有しこれら第一の接続部および第二の接続部を介して前記エアー供給装置とマッサージ装置とを接続するエアーホースと、前記供給接続部と被供給接続部とのそれぞれに設けられ前記エアーホースが接続されたことを検知する検知手段と、この検知手段からのエアーホースが正常状態に接続されていないことの検知信号に基づいてエアーの供給をさせないように前記エアー供給装置を制御する制御手段とを備えたことを特徴とするエアーマッサージ機。
【請求項２】
エアー生成手段を有するとともに複数の供給接続部を有するエアー供給装置と、このエアー供給装置からのエアーの給排気によって膨縮する袋体を有しこの袋体に連結ホースを介して接続された被供給接続部が設けられた複数のマッサージ装置と、一端側および他端側にそれぞれ前記エアー供給装置に設けた複数の供給接続部および複数のエアーマッサージ装置の被供給接続部に着脱可能に接続される第一の接続部および第二の接続部を有しこれら第一の接続部および第二の接続部を介して前記エアー供給装置とマッサージ装置とを接続する複数のエアーホースと、前記それぞれの供給接続部と被供給接続部との少なくともいずれか一方に設けられ前記エアーホースが接続されたことを検知する検知手段と、これら検知手段からの検知信号に基づいて接続された各エアーマッサージ装置を所定の順序で動作させる動作モードを決定してこの動作モードに基づいて前記複数のマッサージ装置の袋体にエアー給排気をするように前記エアー供給装置を制御する制御手段とを備えたことを特徴とするエアーマッサージ機。
【請求項３】
所定のマッサージモードを設定する設定手段を設け、この設定手段により所定のマッサージモードが設定されたとき、前記検知手段の検知信号に基づいて決定され実行される動作モードに優先して前記設定手段で設定された所定のマッサージモードを実行することを特徴とする請求項２記載のエアーマッサージ機。
【発明の詳細な説明】
【０００１】
【発明の属する技術分野】
この発明は、エアー供給装置からのエアーの給排気によって膨縮する袋体を有するエアーマッサージ装置にエアーを供給して被施療部のマッサージを行うエアーマッサージ機に関する。
【０００２】
【従来の技術】
エアー供給装置からのエアーの給排気によって膨縮する袋体を有するエアーマッサージ装置にエアーを供給して、前記袋体を膨縮させて被施療部のマッサージを行うエアーマッサージ機は広く知られている。そして、このエアーマッサージ機の形式としてはマット式あるいは椅子式等のものがある。
【０００３】
そして、例えば従来のエアーマッサージ機の一つであるマット式のエアーマッサージ機は、図１３に示すようにエアーマッサージ装置２００とエアー供給装置２２０とから構成されている。そして、前記エアーマッサージ装置２００の構成は、同図に示すようにマット部２１０とこのマット部２１０の内部に適宜の位置決め手段で位置決めして配設された袋体２１１ａないし２１１ｈからなっており、これら袋体２１１ａないし２１１ｈにそれぞれエアーホース２１２ａないし２１２ｈの一端側がそれぞれ接続され、また、これらエアーホース２１２ａないし２１２ｈの他端側は前記マット部２１０の一方の側縁部に取付けられた被供給接続部２１３に接続されている。
【０００４】
また、前記エアー供給装置２２０は、操作パネル等が設けられた筐体２２１とこの筐体２２１の内部に設けられた図示しないエアーコンプレッサーからなるエアー生成手段およびこのエアー生成手段から生成されたエアーを所定の順序で分配するロータリー弁等からなるエアー分配器等からなっており、また、前記筐体２２１には前記エアー分配器に供給管を介して接続された供給接続口２２２が設けられている。
【０００５】
そして、前記エアー供給装置２２０と前記エアーマッサージ装置２００とは、着脱可能なエアーホース２３０によって接続されるようになっている。このエアーホース２３０は一端側に前記供給接続口２２２に着脱可能な第一の接続部２３１が、また、他端側には前記被供給接続口２１３に着脱可能な第二の接続部２３２が設けられ、これら第一の接続部２３１と第二の接続部２３２を前記供給接続口２２２および被供給接続口２１３に接続または非接続とすることにより、前記エアーホース２３０によって前記エアー供給装置２２０と前記エアーマッサージ装置２００とは接続または非接続とされるものである。
【０００６】
そして、使用者がマッサージをしない場合つまり不使用時に前記エアーホース２３０は、収納の便を図るためにエアー供給装置２２０と前記エアーマッサージ装置２００から取り外されており、使用する際にこのエアーホース２３０を前記第一の接続部２３１と第二の接続部２３２を前記供給接続口２２２および被供給接続口２１３に接続して使用するようになっている。
【０００７】
ところで、前記エアー供給装置２２０は、前記エアーホースが確実に接続されているか否かには関係なく動作つまり駆動するようになっていることから、使用者が使用するために、エアーマッサージ装置２００と前記エアー供給装置２２０とをエアーホース２３０によって接続した際に、前記第一の接続部２３１と第二の接続部２３２が前記供給接続口２２２および被供給接続口２１３に確実に接続されていない不完全な接続状態でエアー供給装置が駆動される場合が生じ、このようにエアーホース２３０が不完全な接続状態のままでエアー供給装置２２０が駆動されると、前記供給接続口２２２等からエアーが漏れてしまい袋体２１１ａないし２１１ｈに所定のエアーの供給がなされなくなることから、所期の膨縮がなされないため、所望のマッサージがなされないという事態が生じるという問題がある。
【０００８】
【発明が解決しようとする課題】
上述のように従来のエアーマッサージ機は、エアー供給装置２２０とエアーマッサージ装置２００とを着脱可能なエアーホース２３０によって接続する構成となっているため、使用の際に前記エアーホース２３０が確実に接続されていない不完全な接続状態のままで、エアー供給装置２２０が駆動されるということがあり、その結果エアー漏れが生じてそれぞれの袋体２１１ａないし２１１ｈに所定のエアーの供給がされなくなり所期の膨縮がなされず、所望のマッサージがなされないという問題がある。
【０００９】
また、前記マット部２１０を有するエアーマッサージ装置２００とは別に、エアーの給排気によって膨縮する袋体を有し、腕部あるいは脚部等を部分的にマッサージするアタッチメント形式のエアーマッサージ装置を前記エアーマッサージ装置２００と同時に使用する形式つまり複数のエアーマッサージ装置を用いて、これら複数のエアーマッサージ装置にエアーを供給する複数の供給接続口を前記エアー供給装置２２０に設けるとともに、エアー供給装置２２０と前記複数のエアーマッサージ装置を複数のエアーホースによって接続してマッサージをなす形式のエアーマッサージ機とした場合には、複数のエアーマッサージ装置の動作モードつまり複数のエアーマッサージ装置を駆動する順序を、使用するエアーマッサージ装置がエアー供給装置２２０に接続された都度、設定しなければならないという煩わしさがある。
【００１０】
【課題を解決するための手段】
この発明は上記事情に鑑みなされたものであり、請求項１記載の発明は、エアー生成手段を有するとともに供給接続部が設けられたエアー供給装置と、このエアー供給装置からのエアーの給排気によって膨縮する袋体を有しこの袋体に連結ホースを介して接続された被供給接続部が設けられたマッサージ装置と、一端側および他端側にそれぞれ前記供給接続部および被供給接続部に着脱可能に接続される第一の接続部および第二の接続部を有しこれら第一の接続部および第二の接続部を介して前記エアー供給装置とマッサージ装置とを接続するエアーホースと、前記供給接続部と被供給接続部とのそれぞれに設けられ前記エアーホースが接続されたことを検知する検知手段と、この検知手段からのエアーホースが正常状態に接続されていないことの検知信号に基づいてエアーの供給をさせないように前記エアー供給装置を制御する制御手段とを備えたエアーマッサージ機としとたものである。
【００１１】
このように請求項１記載の発明は、エアー供給装置に設けた供給接続部とエアーマッサージ装置に設けた被供給接続部とのそれぞれにエアーホースが接続されたことを検知する検知手段を設け、この検知手段からのエアーホースが正常状態で接続されていないことの検知信号に基づいてエアー供給装置を駆動させないようにする構成としたことから、エアーホースの不完全な接続のままエアーの給排気をしないようにエアー供給装置を制御し、エアー供給装置の供給接続部とエアーマッサージ装置の被供給接続部とからのエアー漏れを防止できるため、袋体へのエアーの供給を所期の供給量または所期の供給量に近い量に維持することができ、マッサージ効果の低減を防止できるという作用を有するものである。
【００１２】
また、請求項２記載の発明は、エアー生成手段を有するとともに複数の供給接続部を有するエアー供給装置と、このエアー供給装置からのエアーの給排気によって膨縮する袋体を有しこの袋体に連結ホースを介して接続された被供給接続部が設けられた複数のマッサージ装置と、一端側および他端側にそれぞれ前記エアー供給装置に設けた複数の供給接続部および複数のエアーマッサージ装置の被供給接続部に着脱可能に接続される第一の接続部および第二の接続部を有しこれら第一の接続部および第二の接続部を介して前記エアー供給装置とマッサージ装置とを接続する複数のエアーホースと、前記それぞれの供給接続部と被供給接続部との少なくともいずれか一方に設けられ前記エアーホースが接続されたことを検知する検知手段と、これら検知手段からの検知信号に基づいて接続された各エアーマッサージ装置を所定の順序で動作させる動作モードを決定してこの動作モードに基づいて前記複数のマッサージ装置の袋体にエアー給排気をするように前記エアー供給装置を制御する制御手段とを備えたエアーマッサージ機としたものである。
【００１３】
このように請求項２記載の発明は、エアー供給装置に設けた複数の供給接続部と複数のエアーマッサージ装置に設けた被供給接続部との少なくともいずれか一方にエアーホースが接続されたことを検知する検知手段を設け、この検知手段からの検知信号に基づいて、接続された各エアーマッサージ装置を所定の順序で動作させる動作モードを決定する構成としたことから、エアーホースを接続することによって接続されたエアーマッサージ装置の動作順序が自動的に設定されるという作用を有するものである。
【００１４】
また、請求項３記載の発明は、請求項２記載の発明において、所定のマッサージモードを設定する設定手段を設け、この設定手段により所定のマッサージモードが設定されたとき、前記検知手段の検知信号に基づいて決定され実行される動作モードに優先して前記設定された所定のマッサージモードを実行するエアーマッサージ機としたものである。
【００１５】
このように請求項３記載の発明は、上記請求項２記載の発明の作用に加えて、所定のマッサージモードを設定する設定手段により所定のマッサージモードが設定されたとき、この所定のマッサージモードを前記検知手段の検知信号に基づいて決定されて実行される動作モードに優先して実行する構成としたことから、前記エアーホースが接続されたことにより決定されるマッサージモードに優先して自己が所望するマッサージモードによりマッサージができるという作用を有するものである。
【００１６】
【発明の実施の形態】
つぎに、この発明をマット式のエアーマッサージ機に適用した場合の実施の形態を図１ないし図１２に基づいて説明する。図１に示すようにこのエアーマッサージ機１は、エアーマッサージ装置としてのマット式エアーマッサージ装置（以下主マッサージ装置という）１０とアタッチメントエアーマッサージ装置（以下副マッサージ装置という）３０およびエアー供給装置５０とから構成されており、このエアー供給装置５０と、前記主マッサージ装置１０および副マッサージ装置３０とはそれぞれエアーホース９０およびエアーホース９７によって接続され、これらエアーホース９０およびエアーホース９７を介してエアーが供給されるようになっている。
【００１７】
そして、前記主マッサージ装置１０は、図１に示すように内部下側に硬質の発泡ウレタンフォーム等からなる方形な板状の台部材１２ａが設けられるとともに外周表面をカバー１２で覆ったマット部１１内に、図示しない適宜の位置決め手段で位置決めされて、図２に示すように腿用袋体１３、一対の尻用袋体１４、腰用袋体１５、一対の脇腹用袋体１６、背中用袋体１７および首部用袋体１８が配設されている。
【００１８】
また、前記マット部１１の下側つまり使用者がマッサージをするためにマット部１１に仰向け等の姿勢で横たわった際に足部が位置する側の縁部には、被供給接続部としての被供給接続口２０が設けられている。この被供給接続口２０は図４に示すように枠部材２０ａと接続部材２０ｂとから構成され、この接続部材２０ｂと枠部材２０ａとは接着等の適宜な固定手段によって一体的に結合されている。そして、前記枠部材２０ａは、図３および図４に示すようにフランジ部２５と、このフランジ部２５から内側つまりマット部１１の内側に向けて突出した環状壁２２とから形成されている。環状壁２２は偏平の長円形の貫通孔２２ａを形成する。また、前記接続部材２０ｂには、図３および図４に示すように一端側に開口した６個の嵌合孔２３ａないし２３ｆが設けられ、他端側にこれら嵌合孔２３ａないし２３ｆに連通するとともに突出させて形成された接続部２４ａないし２４ｆが設けられている。
【００１９】
そして、図４に示すように前記接続部材２０ｂは、前記枠部材２０ａの前記環状壁２２の先端部に上述のように適宜な固定手段によって一体的に結合されている。この結合された状態では前記枠部材２０ａのフランジ部２５側に開口した前記貫通孔２２ａにより接続口２１が形成されている。
【００２０】
また、図３および図４に示すように前記接続口２１の内周壁つまり環状壁２２の一側２２ｂには貫通孔２６が形成されている。また、前記一側２２ｂの内側つまりマット部１１の内側部には検知手段としてのマイクロスイッチ８０がねじ８０ｃによって取り付けられている。このマイクロスイッチ８０の作動片８０ａの先端部は、前記貫通孔２６を貫通して前記接続口２１内に常時は突出されるとともに出没可能に位置されている。なお、前記マイクロスイッチ８０は信号線８０ｂを介して後述する第一の判断手段１０２に検知信号を送るようになっている。
【００２１】
そして、前記被供給接続口２０は前記フランジ部２５を前記マット部１１の前記下側縁部に取り付けることによってマット部１１に取り付けられているものである。  また、前記腿用袋体１３ないし首部用袋体１８には、連結ホースとしてのエアーホース（以下単にホースという）１３ａないし１８ａの一端側が接続されている。これらホース１３ａないし１８ａのうちのホース１３ａおよび１５ａは図４に示すように前記接続部２４ａおよび２４ｂに、ホース１７ａおよび１８ａは接続部２４ｅおよび２４ｆにそれぞれ接続されている。また、前記一対のホース１４ａは一本のホース１４ｂ（図３参照）に纏められて接続部２４ｃに、また、一対のホース１６ａは一本のホース１６ｂに纏められて接続部２４ｄに接続されている。
【００２２】
つぎに、前記副マッサージ装置３０について説明する。この副マッサージ装置３０は図５に示すように、内部を中空としたベース部３１とこのベース部３１に配設された脚部用袋体３６とから構成されている。前記ベース部３１は図５に示すように平面長方形状に形成されるとともに上面側に平行に形成された一対の凹溝部３２が設けられている。また、この凹溝部３２と平行な一方の側壁には図６、図７に示すように被供給接続部としての被供給接続口４０が設けられている。この被供給接続口４０は外側に向けて開口した接続口４１が設けられるとともに奥壁４２には挿通孔４３が形成されている。この奥壁４２の裏面つまり前記開口と反対側の面には、貫通孔４４ａが形成された筒状部材からなり前記奥壁４２の裏面に接着等により取り付けられた接続部４５が設けられている。また、この接続部４５の前記挿通孔４３の周囲近傍に位置して収納部４５ａが形成されこの収納部４５ａにはシールリング４６が収納されている。
【００２３】
また、前記接続口４１の周壁４１ａには貫通孔４７が設けられている。また、この貫通孔４７が設けられた周壁４１ａの内側には検知手段としてのマイクロスイッチ８１がねじ８１ｃによって取り付けられている。このマイクロスイッチ８１の作動片８１ａの先端部は、前記貫通孔４７を貫通して前記接続口４１内に常時は突出されるとともに出没可能に位置されている。なお、前記マイクロスイッチ８１は信号線８１ｂを介して後述する第二の判断手段１０３に検知信号を送るようになっている。
【００２４】
また、ベース部３１に設けた一対の前記凹溝部３２には、布等により形成され中央部に前記凹溝部３２に例えばホック等の取付具３５ｃにより取り付けられる取付代３５ａを設けるとともにこの取付代３５ａの両側に形成され互いに対向させて設けた収納部３５ｂとからなる取付部材３５が前記取付具３５ｃによって取り付けられており、この取付部材３５の前記収納部３５ｂには前記脚部用袋体３６が収納されて配設されている。なお、前記副マッサージ装置３０は脚部をマッサージするものであり、前記一対の取付部材３５のそれぞれの収納部３５ｂに収納された一対の脚部用袋体３６の間に脚部つまりふくらはぎ部を位置させた状態で、前記脚部用袋体３６にエアーの給排気をすることによって膨縮させてマッサージをなすものである。
【００２５】
また、前記それぞれの収納部３５ｂに収納されたそれぞれの脚部用袋体３６には、図１２に示すように連結ホースとしてのホース３７ａないし３７ｄの一端側が接続されている。これら４本のホースの他端側は一本のホース３７に纏められ、このホース３７は図７に示すように前記被供給接続口４０の接続部４５に接続されている。
【００２６】
つぎに、前記エアー供給装置５０について説明する。このエアー供給装置５０は、図１に示すように筐体５１、この筐体５１内に収納された周知のエアー生成手段としてのエアーコンプレッサー５５（図１２参照）、このエアーコンプレッサー５５から生成されたエアーを７本のホース５８ａないし５８ｇを介して後述する６本のホース９１ａないし９１ｆ（図１２参照）からなる後に詳述するエアーホース９０および一本のホースからなるエアーホース９７に所定の順序で分配するエアー分配器としての周知のロータリー弁５６、およびマイクロコンピューター等からなる前記制御手段５７等から構成されている。そして、前記筐体５１の上面部には図１に示すように操作パネル５２が設けられ、この操作パネル５２には、図示しないが電源スイッチ、後述する各種マッサージモードを設定する設定手段として複数のマッサージモード設定スイッチ５２ａおよび始動スイッチ５２ｂ等  （図１２参照）が設けられている。
【００２７】
なお、前記各種マッサージモードとしては、全身マッサージコース、上半身マッサージコースおよび下半身マッサージコースのコース別モードと、首部、背中部および腰部等の各部分を個別にマッサージするポイントマッサージモード等が備えられているものである。
【００２８】
また、前記筐体５１には図１に示すように一方の側壁５３に前記副マッサージ装置３０に設けた被供給接続口４０に対応する供給接続部としての供給接続口６０が設けられている。この供給接続口６０は、図８および図９に示すように、外側に向けて開口した接続口６１を有しているとともに、その奥壁６２に挿通孔６３が形成されている。この奥壁６２の裏面つまり前記開口と反対側の面には貫通孔６４ａが形成された筒状部材からなり前記奥壁６２の裏面に接着等により取り付けられた接続部６５が設けられている。また、この接続部６５の前記挿通孔６３の周囲近傍に位置して収納部６５ａが形成され、この収納部６５ａにはシールリング６６が収納されている。そして、前記供給接続口６０と被供給接続口４０とは前記エアーホース９７によって接続されている。
【００２９】
また、前記接続口６１の周壁６１ａには貫通孔６７が設けられている。また、この貫通孔６７が設けられた周壁６１ａの内側には検知手段としてのマイクロスイッチ８２がねじ８２ｃによって取り付けられている。このマイクロスイッチ８２の作動片８２ａの先端部は、前記貫通孔６７を貫通して前記接続口６１内に常時は突出されるとともに出没可能に位置されている。そして、前記供給接続口６０の接続部６５は前記ロータリー弁５６の図示しない一つの分配口と前記ホース５８ｇによって接続されている（図１２参照）。なお、前記マイクロスイッチ８２は信号線８２ｂを介して前記第二の判断手段１０３に検知信号を送るようになっている。
【００３０】
また、前記筐体５１の他方側の側壁には前記主マッサージ装置１０の被供給接続口２０に対応する供給接続部としての供給接続口７０が設けられている。この供給接続口７０は図１０、図１１に示すように、枠部材７０ａと接続部材７０ｂとから構成され、この接続部材７０ｂと枠部材７０ａとは接着等の適宜な固定手段によって一体的に結合されている。そして、前記枠部材７０ａは、図１０、図１１に示すようにフランジ部７５と、このフランジ部７５から内側つまり筐体５１の内側に向けて突出させて形成され偏平の長円形の貫通孔７２ａを形成する環状壁７２とから形成されている。また、前記接続部材７０ｂは、図１０および図１１に示すように一端側に開口した６個の嵌合孔７３ａないし７３ｆを有し、他端側にこれら嵌合孔７３ａないし７３ｆに連通するとともに突出させて形成された接続部７４ａないし７４ｆが設けられている。
【００３１】
そして、図１１に示すように前記接続部材７０ｂは前記枠部材に前記環状壁７２の先端部に上述のように適宜な固定手段によって一体的に結合されている。この結合された状態では前記枠部材７０ａのフランジ部７５側に開口した貫通孔７２ａにより接続口７１が形成されている。
【００３２】
また、図１０および図１１に示すように前記接続口７１の内周壁つまり環状壁７２の一側７２ｂには貫通孔７６が形成されている。また、前記一側７２ｂの内側には検知手段としてのマイクロスイッチ８３がねじ８３ｃによって取り付けられている。このマイクロスイッチ８３の作動片８３ａの先端部は、前記貫通孔７６を貫通して前記接続口７１内に常時は突出されるとともに出没可能に位置されている。なお、前記マイクロスイッチ８３は信号線８３ｂを介して前記第一の判断手段１０２に検知信号を送るようになっている。
【００３３】
そして、前記供給接続口７０は、前記フランジ部７５を前記筐体５１の前記側壁に取り付けることによって、筐体５１に取り付けられているものである。
【００３４】
また、前記接続部７４ａないし７４ｆは図１２に示すように前記ロータリー弁５６に設けた図示しない分配口と前記ホース５８ａないし５８ｆによって接続されている。
【００３５】
つぎに、前記エアー供給装置５０の供給接続口７０と主マッサージ装置１０の被供給接続口２０とに接続されるエアーホース９０について説明する。
【００３６】
このエアーホース９０は６本のエアーホース９１ａないし９１ｆからなるホース群９１（図１２参照）と、前記６本のエアーホース９１ａないし９１ｆの一端側を接続した第一の接続部９２（図１０参照）と他端側に接続された第二の接続部９６（図３参照）とから構成されている。なお、前記第一の接続部９２と第二の接続部９６とは同一の構成となっている。
【００３７】
そして、前記第一の接続部９２は、その軸方向と直交する方向の断面形状が前記エアー供給装置５０に設けた供給接続口７０の接続口７１の軸方向直交する方向の断面形状より僅かに小さい相似形に形成されて、前記接続口７１に挿脱可能となっている。また、この第一の接続部９２には、直線状に配列されるとともに一体的に設けられた６本の接続管９３ａないし９３ｆがその先端部を接続部９２の端面から突出させて設けられている。この接続管９３ａないし９３ｆの基部は図示しないが前記６本のエアーホース９１ａないし９１ｆの一端側に接続されているものである。そして、前記第一の接続部９２を前記接続口７１に挿入して接続した状態では、図１１に示すように前記接続管９３ａないし９３ｆは前記接続口７１に設けられた嵌合孔７３ａないし７３ｆに気密状態で嵌合するようになっている。
【００３８】
また、前記第二の接続部９６は、図３に示すようにその軸方向と直交する方向の断面形状が前記主マッサージ装置１０に設けた供給接続部２０の接続口２１の軸方向と直交する方向の断面形状より僅かに小さい相似形に形成されて、前記接続口２１に挿脱可能となっている。また、この第二の接続部９６には、直線状に配列されるとともに一体的に設けられた６本の接続管９７ａないし９７ｆがその先端部を接続部９６の端面から突出させて設けられている。この接続管９７ａないし９７ｆの基部は図示しないが前記６本のエアーホース９１ａないし９１ｆの他端側に接続されているものである。そして、前記第二の接続部９２を前記接続口２１に挿入して接続した状態では、図４に示すように前記接続管９７ａないし９７ｆは前記接続口２１に設けられた嵌合孔２３ａないし２３ｆに気密状態で嵌合しているものである。
【００３９】
そして、前記第一の接続部９２および第二の接続部９６を前記接続口７１および接続口２１に挿入した際には、前記マイクロスイッチ８３の作動片８３ａおよびマイクロスイッチ８０の作動片８０ａが第一の接続部９２および第二の接続部９６の側壁によって押圧されて、マイクロスイッチ８３およびマイクロスイッチ８０は閉成される。この閉成に基づいて前記エアーホース９０が前記供給接続口７０および被供給接続口２０に接続されたことの検知信号を、マイクロスイッチ８３およびマイクロスイッチ８０が前記制御手段５７に送るものである。
【００４０】
つぎに、前記エアーホース９７について説明する。このエアーホース９７の一端側には前記エアー供給装置５０の供給接続口６０に接続される第一の接続部９８（図８、図９参照）が、また、他端側には副マッサージ装置３０の被供給接続口４０に接続される第二の接続部９９（図６、図７参照）が取り付けられている。そして、前記第一の接続部９８には図８、図９に示すように一体的に形成された接続管９８ａがその先端部を突出させて設けられており、この接続管９８ａの基部に図示しないが前記エアーホース９７の一端側が接続されている。また、前記第二の接続部９９には図６、図７に示すように一体的に形成された接続管９９ａがその先端部を突出させて設けられており、この接続管９９ａの基部には図示しないが前記エアーホース９７の他端側が接続されている。
【００４１】
そして、前記第一の接続部９８を前記エアー供給装置５０の供給接続口６０の接続口６１に挿入して接続した状態では、図９に示すように前記シールリング６６によって気密状態にして前記挿通孔６３に挿入されているものである。
【００４２】
また、前記第二の接続部９９を前記被供給接続口４０の接続口４１に挿入して接続した状態では、同様に図７に示すように前記シールリング４６によって気密状態にして前記挿通孔４３に挿入されているものである。
【００４３】
そして、前記第一の接続部９８および第二の接続部９９を前記接続口６１および接続口４１に挿入した際には、前記マイクロスイッチ８２の作動片８２ａおよびマイクロスイッチ８１の作動片８１ａが第一の接続部９８および第二の接続部９９の側壁によって押圧されて、マイクロスイッチ８２およびマイクロスイッチ８１は閉成される。この閉成に基づいて前記エアーホース９７が前記供給接続口６０および被供給接続口４０に接続されたことの検知信号を、マイクロスイッチ８２およびマイクロスイッチ８１が前記制御手段５７に送るものである。
【００４４】
つぎに、上記のように構成されたエアーマッサージ機の制御について、図１２に示す制御ブロック図に基づいて説明する。
【００４５】
図１２に示すように制御手段５７には、メモリー手段からなるマッサージモード記憶手段１００および動作モード記憶手段１０１が接続されている。そして、前記マッサージモード記憶手段１００には上述した全身マッサージコース、上半身マッサージコースおよび下半身マッサージコースのコース別動作モードと、首部、背中部および腰部の各部分を個別にマッサージするポイントマッサージ動作モード等の各種マッサージモードが設定されている。また、動作モード記憶手段１０１には、前記エアーホース９０およびエアーホース９７が前記供給接続口７０、供給接続口６０および被供給接続口２０、被供給接続口４０に接続された際にマイクロスイッチ８３、マイクロスイッチ８２およびマイクロスイッチ８０、マイクロスイッチ８１から送られてきた検知信号と後述するように始動スイッチ５２ｂの閉成信号に基づいてあらかじめ定められた主エアーマッサージ装置１０と副マッサージ装置３０とを動作させる順序つまり動作モードが設定されているものである。
【００４６】
そして、この動作モードとしてはつぎの種類のモードがある。以下各モードについて説明すると、
［第一の動作モード］：この第一の動作モードは、前記マイクロスイッチ８２は開成状態（供給接続口６０にエアーホース９７が接続されていない状態）で検出信号は出力されず、また、マイクロスイッチ８３も開成状態（供給接続口７０にエアーホース９０が接続されていない状態）で検出信号が出力されていない場合のモードである。このモードでは主マッサージ装置１０の腿用袋体１３ないし首部用袋体１８および副マッサージ装置３０の各脚部用袋体３６のいずれにもエアーの給排気はされない。
【００４７】
［第二の動作モード］：この第二の動作モードは、前記マイクロスイッチ８２は開成状態（供給接続口６０にエアーホース９７が接続されていない状態）で検出信号は出力されず、また、マイクロスイッチ８３は閉成状態（供給接続口７０にエアーホース９０が接続されている状態）で検出信号が出力されている場合のモードである。このモードでは主マッサージ装置１０の腿用袋体１３ないし首部用袋体１８に所定の順序つまり本実施の形態では、腿用袋体１３、尻用袋体１４、腰用袋体１５、脇腹用袋体１６、背中用袋体１７、首部用袋体１８の順序でエアーの給排気をして膨縮させるようになっている。なお、副マッサージ装置３０の脚部用袋体３６にはエアーの給排気はされない。
【００４８】
［第三の動作モード］：この第三の動作モードは、前記マイクロスイッチ８２は閉成状態（供給接続口６０にエアーホース９７が接続されている状態）で検出信号が出力され、また、マイクロスイッチ８３は開成状態（供給接続口７０にエアーホース９０が接続されていない状態）で検出信号は出力されていない場合のモードである。このモードでは副マッサージ装置３０の各脚部用袋体３６には同時にエアーの給排気をして各脚部用袋体３６は膨縮させるようになっている。なお、主マッサージ装置１０の腿用袋体１３ないし首部用袋体１８にはエアーの給排気はされない。
【００４９】
［第四の動作モード］：この第四の動作モードは、前記マイクロスイッチ８２は閉成状態（供給接続口６０にエアーホース９７が接続されている状態）で検出信号は出力され、また、マイクロスイッチ８３も閉成状態（供給接続口７０にエアーホース９０が接続されている状態）で検出信号は出力されている場合のモードである。このモードでは副マッサージ装置３０の各脚部用袋体３６および主マッサージ装置１０の腿用袋体１３ないし首部用袋体１８には所定の順序でつまり本実施の形態では、副マッサージ装置３０の各脚部用袋体３６を膨縮させ、ついで主マッサージ装置１０の腿用袋体１３、尻用袋体１４、腰用袋体１５、脇腹用袋体１６、背中用袋体１７、首部用袋体１８の順序でエアーの給排気をして膨縮させるようになっている。なお、この動作モードは任意に定めることができるものである。
【００５０】
また、制御手段５７には第一の判断手段１０２および第二の判断手段１０３が接続されている。そして、前記第一の判断手段１０２には前記エアー供給装置５０の供給接続口７０に設けられたマイクロスイッチ８３、主マッサージ装置１０の被供給接続口２０に設けられたマイクロスイッチ８０および始動スイッチ５２ｂが接続され、この第一の判断手段１０２は前記マイクロスイッチ８３およびマイクロスイッチ８０の両方の検知信号と前記始動スイッチ５２ｂの閉成信号とが入力されたとき、出力信号を前記制御手段５７に出力するようになっている。したがって、マイクロスイッチ８３またはマイクロスイッチ８０の少なくともいずれか一方から検知信号が出力されないとき、つまりエアーホース９０が前記供給接続口７０または被供給接続口２０の少なくともいずれか一方に正常な状態で接続されていないときは、第一の判断手段１０２から制御手段５７には出力信号が出力されず、制御手段５７は主マッサージ装置１０にエアーの給排気をさせないようにエアーコンプレッサー５５およびエアー分配器５６を制御するものである。
【００５１】
したがって、主マッサージ装置１０を用いてマッサージをする際には、エアー供給手段５０の供給接続口７０と主マッサージ装置１０の被供給接続口２０とにエアーホース９０を接続するものであるが、この際に供給接続口７０と被供給接続口２０のいずれか一方あるいは双方の接続が正常な状態で接続されていないときは、供給接続口７０のマイクロスイッチ８３と被供給接続口２０のマイクロスイッチ８０のうち正常な状態で接続されていないマイクロスイッチからは検知信号が出力されないため、前記第一の判断手段１０２から制御手段５７に出力信号が出力されず、制御手段５７は主マッサージ装置１０にエアーの給排気をさせないようにエアーコンプレッサー５５およびエアー分配器５６を制御つまりこの場合は停止状態に維持するように制御する。したがって、エアーホース９０が不完全な状態で接続されている供給接続口７０、被供給接続口２０からエアー漏れが生じる状態でエアーの給排気がされるように前記エアー供給装置５０が制御されることはないものである。
【００５２】
また、エアーホース９０が供給接続口７０と被供給接続口２０のいずれか一方あるいは双方の接続が正常な状態で接続されていないときは、供給接続口７０のマイクロスイッチ８３と被供給接続口２０のマイクロスイッチ８０のうち正常な状態で接続されていないマイクロスイッチから検知信号が出力されないため、前記始動スイッチ５２ｂを閉成しても第一の判断手段１０２からは制御手段５７に出力信号が出力されず、エアーコンプレッサー５５およびエアー分配器５６は動作しないことから使用者はエアーホース９０が正常な状態で接続されていないことを認識できるものである。
【００５３】
また、前記第二の判断手段１０３には、前記エアー供給装置５０の供給接続口６０に設けられたマイクロスイッチ８２、副マッサージ装置３０の被供給接続口４０に設けられたマイクロスイッチ８１および前記始動スイッチ５２ｂが接続され、この第二の判断手段１０３は前記マイクロスイッチ８２およびマイクロスイッチ８１の両方の検知信号と前記始動スイッチ５２ｂの閉成信号とが入力されたとき、出力信号を前記制御手段５７に出力するようになっている。
【００５４】
したがって、マイクロスイッチ８２またはマイクロスイッチ８１の少なくともいずれか一方から検知信号が出力されないとき、つまりエアーホース９７が前記供給接続口６０または被供給接続口４０の少なくともいずれか一方に正常な状態で接続されていないときは、第一の判断手段１０２から制御手段５７には出力信号が出力されず、制御手段５７は副マッサージ装置３０にエアーの給排気をさせないようにエアーコンプレッサー５５およびエアー分配器５６を制御するものである。
【００５５】
このことによって、副マッサージ装置３０を用いてマッサージをする際には、エアー供給手段５０の供給接続口６０と副マッサージ装置３０の被供給接続口４０とにエアーホース９７を接続するものであるが、この際に供給接続口６０と被供給接続口４０のいずれか一方あるいは双方の接続が正常な状態で接続されていないときは、供給接続口６０のマイクロスイッチ８２と被供給接続口４０のマイクロスイッチ８１のうち正常な状態で接続されていないマイクロスイッチからは検知信号が出力されていないため、前記第一の判断手段１０３から制御手段５７に出力信号が出力されず、制御手段５７は副マッサージ装置３０にエアーの給排気をさせないようにエアーコンプレッサー５５およびエアー分配器５６を制御つまりこの場合は停止状態に維持するように制御する。したがって、エアーホース９７が不完全な状態で接続されている供給接続口６０、被供給接続口４０からエアー漏れが生じる状態でエアーの給排気がされるように前記エアー供給装置５０が制御されることはないものである。
【００５６】
また、エアーホース９７が供給接続口６０と被供給接続口４０のいずれか一方あるいは双方の接続が正常な状態で接続されていないときは、供給接続口６０のマイクロスイッチ８２と被供給接続口４０のマイクロスイッチ８１のうち正常な状態で接続されていないマイクロスイッチからは検知信号が出力されない。このため、前記始動スイッチ５２ｂを閉成しても、第二の判断手段１０３から制御手段５７には出力信号が出力されず、エアーコンプレッサー５５およびエアー分配器５６は動作しない。よって、使用者はエアーホース９７が正常な状態で接続されていないことを認識できるものである。
【００５７】
なお、主マッサージ装置１０と副マッサージ装置３０の双方を使用する場合において、主マッサージ装置１０と副マッサージ装置３０とをエアーホース９０およびエアーホース９７とによってエアー供給手段５０に接続する。この場合、エアーホース９０とエアーホース９７のうちずれか一方が正常な状態で接続されていなときは、制御手段５７は主マッサージ装置１０と副マッサージ装置３０のうち正常に接続されている方にはエアーの給排気をし、正常に接続されていない他方にはエアーの給排気をしないようにエアーコンプレッサー５５およびエアー分配器５６を制御するようになっているものである。
【００５８】
また、制御手段５７は前記第一の判断手段１０２および第二の判断手段１０３からの出力信号に基づいて、前記第二の動作モードないし第四の動作モードを決定し、前記動作モード記憶手段１０１から前記決定された動作モードを読みだして、この動作モードを実行し主マッサージ装置１０と副マッサージ装置３０のいずれか一方または双方にエアーの給排気をするようにエアーコンプレッサー５５およびエアー分配器５６を制御するようになっている。
【００５９】
このように、使用者が前記主マッサージ装置１０または副マッサージ装置３０のいずれか一方あるいは双方を使用する場合に、前記主マッサージ装置１０または副マッサージ装置３０のいずれか一方または双方とエアー供給手段５０とをエアーホース９０およびエアーホース９７によって接続するものであるが、これら接続によって自動的に前記動作モードが決定され、この決定された動作モードが実行されるものであることから、使用者は使用するマッサージ装置つまり主マッサージ装置１０および副マッサージ装置３０のいずれか一方あるいは双方を接続した際に、その都度動作モードを設定する必要がないものである。
【００６０】
また、制御手段５７には前記各種マッサージモードを設定する複数の設定スイッチ５２ａからの出力が入力されるようになっている。この設定スイッチ５２ａから前記各種マッサージモードが設定されると、制御手段５７は、このマッサージモードによって定められた順序にしたがって、前記主マッサージ装置１０の腿用袋体１３ないし首部用袋体１８および副マッサージ装置３０が同時に使用されている場合は、この副マッサージ装置３０の各脚部用袋体３６にエアー給排気して膨縮させるようにエアーコンプレッサー５５およびロータリー弁５６を動作させるように制御する。
また、前記制御手段５７は、前記マイクロスイッチ８２およびマイクロスイッチ８３からの検知信号に基づいて前記動作モードの中から特定の動作モードが自動的に決定された場合、あるいはこの決定された動作モードの実行中において、前記設定スイッチ５２ａから所定のマッサージモードが設定されたときは、前記動作モードの実行に先立ってまたは実行を中止して前記設定された所定のマッサージモードを実行するように前記エアーコンプレッサー５５およびロータリー弁５６を動作させるように制御する。つまり、設定スイッチ５２ａから所定のマッサージモードが設定されたときは、エアーホース９０またはエアーホース９７を供給接続口７０、被供給接続口２０および供給接続口６０、被供給接続口４０に接続するとともに始動スイッチ５２ｂが閉成されることにより、自動的に決定された動作モードに優先して、前記設定されたマッサージモードを実行するものである。
【００６１】
つぎに、上記エアーマッサージ機１の動作について説明する。まず、主マッサージ装置１０のみを使用する場合について説明する。
【００６２】
まず、使用者は、エアー供給装置５０と主マッサージ装置１０とをエアーホース９０で接続する。そしてエアーホース９０の接続部９２および接続部９６が供給接続口７０および被供給接続口２０に正常な状態で接続されると、マイクロスイッチ８３およびマイクロスイッチ８０からエアーホース９０が接続されたことを検知した検知信号が第一の判断手段１０２に出力される。また、この場合は副マッサージ装置３０は使用しないことから、マイクロスイッチ８２およびマイクロスイッチ８１からは検知信号は出力されない。
【００６３】
そして、使用者が始動スイッチ５２ｂを閉成操作すると第一の判断手段１０２から出力信号が制御手段５７に出力され、この出力信号に基づいて制御手段５７は、前記第二の動作モードであることを決定し、この第二の動作モードを動作モード記憶手段１０１から読み出して実行する。この第二の動作モードでは、主マッサージ装置１０の腿用袋体１３、尻用袋体１４、腰用袋体１５、脇腹用袋体１６、背中用袋体１７、首部用袋体１８の順序でエアーの給排気をして膨縮させる。この膨縮によって被施療部のマッサージがなされるものである。
【００６４】
なお、この際エアーホース９０が供給接続口７０または被供給接続口２０に正常な状態で接続されていないとすると、マイクロスイッチ８３またはマイクロスイッチ８０から第一の判断手段１０２には検知信号が出力されていないことから、使用者によって始動スイッチ５２ｂが閉成されたとしても、第一の判断手段１０２は制御手段５７に出力信号を出力しない。このことから、制御手段５７は、動作モードを決定することなく、また、エアーコンプレッサー５５およびロータリー弁５６を動作させることはない。
【００６５】
そして、使用者がエアー供給装置５０と主マッサージ装置１０とをエアーホース９０で接続した後、上述の各種マッサージモードの中から所望のマッサージモード例えば腰部のみをマッサージするポイントマッサージモードを前記マッサージモード設定スイッチ５２ａから設定したとする。この場合、前記エアーホース９０を接続し始動スイッチ５２ｂを閉成したとき自動的に決定されている第二の動作モードに先立って、つまり優先して、前記ポイントマッサージモードを実行する。つまり制御手段５７は腰用袋体１５にのみエアーを給排気するように前記エアーコンプレッサー５５およびロータリー弁５６を制御するものである。
【００６６】
つぎに、主マッサージ装置１０と副マッサージ装置３０を併用つまり同時に使用する場合について説明する。
【００６７】
エアー供給装置５０と主マッサージ装置１０とをエアーホース９０で接続する。この際エアーホース９０の接続部９２および接続部９６が供給接続口７０および被供給接続口２０に正常な状態で接続されると、マイクロスイッチ８３およびマイクロスイッチ８０からエアーホース９０が接続されたことを検知した検知信号が第一の判断手段１０２に出力される。また、エアー供給装置５０に副マッサージ装置３０をエアーホース９７で接続する。この際エアーホース９７の接続部９８および接続部９９がエアー供給装置５０の供給接続口６０および副マッサージ装置３０の被供給接続口４０に正常な状態で接続されると、マイクロスイッチ８２およびマイクロスイッチ８１からエアーホース９７が接続されたことを検知した検知信号が第二の判断手段１０３に出力される。
【００６８】
そして、使用者が始動スイッチ５２ｂを閉成操作すると第一の判断手段１０２および第二の判断手段１０３からそれぞれ出力信号が制御手段５７に出力され、この出力信号に基づいて制御手段５７は、前記第四の動作モードであることを決定し、この第四の動作モードを動作モード記憶手段１０１から読み出して実行する。この第四の動作モードでは、副マッサージ装置３０の各脚部用袋体３６および主マッサージ装置１０の各腿用袋体１３ないし首部用袋体１８には所定の順序で、つまり副マッサージ装置３０の各脚部用袋体３６を膨縮させ、ついで主マッサージ装置１０の腿用袋体１３、尻用袋体１４、腰用袋体１５、脇腹用袋体１６、背中用袋体１７、首部用袋体１８の順序でエアーの給排気をして膨縮させる。この膨縮によって被施療部である脚部および腿ないし首部のマッサージがなされるものである。
【００６９】
なお、エアーホース９０の接続部９２および接続部９６が供給接続口７０および被供給接続口２０に、また、エアーホース９７の接続部９８および接続部９９が供給接続口６０および被供給接続口４０に正常な状態で接続されていないとすると、マイクロスイッチ８３およびマイクロスイッチ８０から第一の判断手段１０２に、また、マイクロスイッチ８２およびマイクロスイッチ８１から第二の判断手段１０３には検知信号は出力されていない。このことから、使用者によって始動スイッチ５２ｂが閉成されたとしても、制御手段５７は、前記第四の動作モードの決定をすることはなく、また、主マッサージ装置１０および副マッサージ装置３０にエアーの給排気をなすようにエアーコンプレッサー５５およびロータリー弁５６を動作させることはない。
【００７０】
また、この場合も使用者が、上述のように各種マッサージモードの中から所望のマッサージモード例えば腰部のみをマッサージするポイントマッサージモードを前記マッサージモード設定スイッチ５２ａから設定したとすると、前記エアーホース９０およびエアーホース９７を接続し始動スイッチ５２ｂを閉成したとき自動的に決定されている第四の動作モードに優先して前記ポイントマッサージモードを実行する。つまり制御手段５７は腰用袋体１５にのみエアーを給排気するように前記エアーコンプレッサー５５およびロータリー弁５６を制御するものである。
【００７１】
つぎに、副マッサージ装置３０のみを使用する場合について説明する。
【００７２】
使用者は、エアー供給装置５０と副マッサージ装置３０とをエアーホース９７で接続する。そしてエアーホース９７の接続部９８および接続部９９が供給接続口６０および被供給接続口４０に正常な状態で接続されると、マイクロスイッチ８２およびマイクロスイッチ８１からエアーホース９７が接続されたことを検知した検知信号が第二の判断手段１０３に出力される。また、この場合は主マッサージ装置１０は使用しないことからマイクロスイッチ８３およびマイクロスイッチ８０からは検知信号は出力されない。
【００７３】
そして、使用者が始動スイッチ５２ｂを閉成操作すると、第二判断手段１０３から出力信号が制御手段５７に出力され、この出力信号に基づいて制御手段５７は、前記第三の動作モードであることを決定し、この第三の動作モードを動作モード記憶手段１０１から読み出して実行する。この第三の動作モードでは副マッサージ装置３０の各脚部用袋体３６を同時にエアーの給排気がされ膨縮し被施療部である脚部のマッサージがなされるものである。
【００７４】
なお、エアーホース９７の接続部９８および接続部９９が供給接続口６０および被供給接続口４０に正常な状態で接続されていないとすると、マイクロスイッチ８２およびマイクロスイッチ８１から第二の判断手段１０３には出力されていないことから、使用者によって始動スイッチ５２ｂが閉成されたとしても、第二の判断手段１０３から制御手段５７には出力信号は出力されない。このことから、制御手段５７は第三の動作モードを決定することはなく、また、副マッサージ装置３０にエアーの給排気をなすようにエアーコンプレッサー５５およびロータリー弁５６を動作させることはない。
【００７５】
そして、この場合も同様に使用者が、上述のように各種マッサージモードの中から所望のマッサージモード例えば腰部のみをマッサージするポイントマッサージモードを前記マッサージモード設定スイッチ５２ａから設定したとすると、前記エアーホース９０およびエアーホース９７を接続し始動スイッチ５２ｂを閉成したとき自動的に決定されている第三の動作モードに優先して前記ポイントマッサージモードを実行する。つまり制御手段５７は腰用袋体１５にのみエアーを給排気するように前記エアーコンプレッサー５５およびロータリー弁５６を制御するものである。
【００７６】
なお、上記実施の形態では、エアー供給装置５０の供給接続口７０と主マッサージ装置１０の被供給接続口２０に設けたマイクロスイッチ８３とマイクロスイッチ８０の検知信号と始動スイッチ５２ｂの閉成信号とによって第一の判断手段１０２から制御手段５７に出力信号を出力し動作モードを決定し、この動作モードによりエアーコンプレッサー５５およびロータリー弁５６を制御する構成とした。これに代えて、供給接続口７０と被供給接続口２０のいずれか一方に設けたマイクロスイッチ８３、マイクロスイッチ８０および始動スイッチ５２ｂの閉成信号によって第一の判断手段１０２から制御手段５７に出力信号を出力して動作モードを決定し、この動作モードによりエアーコンプレッサー５５およびロータリー弁５６を制御をする構成としてもよい。同様にエアー供給装置５０の供給接続口６０と副マッサージ装置３０の被供給接続口４０に設けたマイクロスイッチ８２とマイクロスイッチ８１の検知信号と始動スイッチ５２ｂの閉成信号とによって、第二の判断手段１０３から制御手段５７に出力信号を出力し動作モードを決定する構成を、供給接続口６０と被供給接続口４０のいずれか一方に設けたマイクロスイッチと始動スイッチ５２ｂの閉成信号とによって、第二の判断手段１０３から制御手段５７に出力信号を出力し動作モードを決定し、この動作モードによってエアーコンプレッサー５５およびロータリー弁５６を制御をする構成としてもよいものである。
上記のようにエアーマッサージ機１は、エアー供給装置に設けた供給接続口とマッサージ装置（主マッサージ装置、副マッサージ装置）の被供給接続口とに接続されるエアーホースの接続状態を検知するマイクロスイッチを供給接続口または被供給接続口との少なくとも一方に設け、このマイクロスイッチから検知信号がないとき、エアーの給排気をさせないようにエアー供給装置を制御するようにしている。このことから、エアーホースが正常状態で接続されていない供給接続口または被供給接続口のすくなくとも一方からのエアー漏れを防止できるため、袋体へのエアーの供給を所期の供給量あるいは所期の供給量に近い量に維持することができ、マッサージ効果の低減を防止できるものである。
また、前記マイクロスイッチの検知信号に基づいて、接続された各エアーマッサージ装置を所定の順序で動作させる動作モードを決定する構成としている。このため、エアーホースを接続することによって接続された複数のマッサージ装置（主マッサージ装置、副マッサージ装置）の動作順序つまり動作モードが自動的に設定される。したがって、マッサージに当たってマッサージ装置を接続する都度その動作順序を設定するという煩わしさがないものである。
【００７７】
また、所定のマッサージモードを設定する設定手段により所望のマッサージモードが設定されたとき、この所望のマッサージモードをマイクロスイッチの検知信号に基づいて決定されて実行される動作モードに優先して実行する構成としたことから、前記エアーホースが接続されたことにより決定される動作モードに優先して自己が所望するマッサージモードによってマッサージができるものである。
【００７８】
なお、上記実施の形態ではエアー供給装置５０の供給接続口７０と供給接続口６０および主マッサージ装置１０の被供給接続口２０と副マッサージ装置３０の被供給接続口４０のそれぞれにマイクロスイッチを設ける構成とした。これに代えて、マイクロスイッチを、主マッサージ装置１０の被供給接続口２０と副マッサージ装置３０の被供給接続口４０には設けることなく、エアー供給装置５０の供給接続口７０および供給接続口６０にのみ設けて、エアーホース９０およびエアーホース９７がエアー供給装置５０の供給接続口７０および供給接続口６０への接続が正常にされていないときに、主マッサージ装置１０または副マッサージ装置３０にエアーの供給をしないようにしてもよい。また逆に、マイクロスイッチを、エアー供給装置５０供給接続口７０および供給接続口６０には設けることなく、主マッサージ装置１０の被供給接続口２０および副マッサージ装置３０の被供給接続口４０にのみ設けて、エアーホース９０またはエアーホース９７が主マッサージ装置１０の被供給接続口２０または副マッサージ装置３０の被供給接続口４０への接続が正常にされていないときに、主マッサージ装置１０または副マッサージ装置３０にエアーの供給をしないようにしてもよいものである。
【００７９】
しかし、エアー供給装置５０の供給接続口７０と供給接続口６０および主マッサージ装置１０の被供給接続口２０と副マッサージ装置３０の被供給接続口４０のそれぞれにマイクロスイッチを設けて、エアー供給装置５０の供給接続口７０および供給接続口６０への接続状態と主マッサージ装置１０の被供給接続口２０および副マッサージ装置３０の被供給接続口４０への接続状態の両方の接続状態を検知するようにした場合は、エアー漏れが確実に防止されている状態でエアー供給装置５０が駆動されて、各袋体の所期の膨縮されるため、所期のマッサージ効果が確実に得られる。しかし、エアー供給装置５０の供給接続口７０および供給接続口６０への接続状態と主マッサージ装置１０の被供給接続口２０および副マッサージ装置３０の被供給接続口４０への接続状態のいずれか一方の接続状態を検知するようにした場合においても、エアーの漏れを半減させて、エアー漏れによる各袋体の膨縮の影響を低減させることができるものであり、したがってマッサージ効果の低減を防止できるものである。また、このようにした場合は構造を簡単にできるとともに経済的な面で有利となることから、エアーコンプレッサーの能力等具体的設計においていずれかを選択すればよいものである。
【００８０】
また、上記実施の形態では、第一の判断手段１０２からの出力信号をマイクロスイッチ８０とマイクロスイッチ８３のそれぞれの検知信号と始動スイッチ５２ｂの閉成信号とが入力されたときに出力する構成としている。これに代えて、マイクロスイッチ８０とマイクロスイッチ８３（マイクロスイッチ８０とマイクロスイッチ８３のいずれか一方のみを設ける構成としたときはいずれか一方）の検知信号が入力されたときに、つまり始動スイッチ５２ｂの閉成信号とは関係なく出力信号を制御手段５７に出力し、この出力信号に基づいて動作モードを決定する構成としてもよいものである。
【００８１】
同様に第二の判断手段１０３についても、マイクロスイッチ８１とマイクロスイッチ８２（マイクロスイッチ８１とマイクロスイッチ８２のいずれか一方のみを設ける構成としたときはいずれか一方）の検知信号が入力されたときに、始動スイッチ５２ｂの閉成信号とは関係なく出力信号を制御手段５７に出力し、この出力信号に基づいて動作モードを決定する構成としてもよいものである。
【００８２】
また、上記実施の形態においては、副マッサージ装置３０を１個用いる場合について説明したが、これは例えば脚部用副マッサージ装置と腕部用副マッサージ装置等２個以上とする構成としてもよいものである。
【００８３】
また、上記実施の形態では、この発明をマット式のエアーマッサージ機に適用した場合を示したが、これはベッド式あるいは椅子式のエアーマッサージ機に適用してもよいものである。
【００８４】
また、上記実施の形態では、第一の判断手段１０２、第二の判断手段１０３はいわゆるハード構成として示したが、これはソフトウエア構成つまりプログラムによって制御手段５７を制御して第一の判断手段１０２、第二の判断手段１０３の機能を実行させるようにしてもよいものである。
【００８５】
【発明の効果】
上記のように請求項１記載の発明は、エアー供給装置に設けた供給接続部とエアーマッサージ装置に設けた被供給接続部とのそれぞれにエアーホースが接続されたことを検知する検知手段を設け、この検知手段からのエアーホースが正常状態で接続されていないことの検知信号に基づいて、エアーの給排気をさせないようにエアー供給装置を制御する構成としたことから、エアーホースが不完全な接続のままエアーの給排気がされることを防止できる。したがって、エアー供給装置の供給接続部とエアーマッサージ装置の被供給接続部からのエアー漏れを防止できるため、袋体へのエアーの供給を所期の供給量あるいは所期の供給量に近い量に維持することができ、マッサージ効果の低減を防止できるという効果を有するものである。
【００８６】
また、請求項２記載の発明は、エアー供給装置に設けた複数の供給接続部と複数のエアーマッサージ装置に設けた被供給接続部との少なくともいずれか一方にエアーホースが接続されたことを検知する検知手段を設け、この検知手段からの検知信号に基づいて、接続された各エアーマッサージ装置を所定の順序で動作させる動作モードを決定する構成としたことから、エアーホースを接続することによって接続されたエアーマッサージ装置の動作順序が自動的に設定されるという効果を有するものである。
【００８７】
また、請求項３記載の発明は、請求項２記載の発明において、所定のマッサージモードを設定する設定手段を設け、この設定手段により所定のマッサージモードが設定されたとき、前記検知手段の検知信号に基づいて決定されて実行される動作モードに優先して前記設定手段により設定された所定のマッサージモードを実行する構成としたことから、上記請求項２記載の発明の効果に加えて、前記エアーホースが接続されたことにより決定されるマッサージモードに優先して自己が所望するマッサージモードによってマッサージができるという効果を有するものである。
【図面の簡単な説明】
【図１】本発明の実施の形態のエアーマッサージ機を示す全体斜視図。
【図２】上記実施の形態の主マッサージ装置のマット部の一部を断面した平面図。
【図３】上記主マッサージ装置のマット部の被供給接続部とエアーホースの接続部の関係を示す斜視図。
【図４】上記実施の形態の主マッサージ装置のマット部の被供給接続部の断面図。
【図５】上記実施の形態の副マッサージ装置の斜視図。
【図６】上記実施の形態の副マッサージ装置の被供給接続部とエアーホースの接続部の関係を示す斜視図
【図７】上記副マッサージ装置の被供給接続部の断面図。
【図８】上記実施の形態のエアー供給装置の副マッサージ装置の被供給接続部と対応する供給接続部とエアーホースの接続部との関係を示す斜視図。
【図９】上記実施の形態のエアー供給装置の副マッサージ装置の被供給接続部と対応する供給接続部の断面図。
【図１０】上記実施の形態のエアー供給装置の主マッサージ装置の被供給接続部と対応する供給接続部とエアーホースの接続部との関係を示す斜視図。
【図１１】上記実施の形態のエアー供給装置の主マッサージ装置の被供給接続部と対応する供給接続部の断面図。
【図１２】上記実施の形態のエアーマッサージ機の制御ブロック図。
【図１３】従来のエアーマッサージ機を示す全体斜視図。
【符号の説明】
１                エアーマッサージ機
１０              主マッサージ装置（エアーマッサージ装置）
１３〜１８        袋体
１３ａ〜１８ａ    ホース（連結ホース）
２０、４０        被供給接続口（被供給接続部）
３０              副マッサージ装置（エアーマッサージ装置）
３６              袋体
５０              エアー供給装置
５５              エアーコンプレッサー（エアー生成手段）
６０、７０        供給接続口（供給接続部）
８０〜８３        マイクロスイッチ（検知手段）
９０              エアーホース
９２、９９        エアーホースの第二の接続部
９６、９８        エアーホースの第一の接続部
【図１】
0003630912.tif 000002
【図２】
0003630912.tif 000003
【図３】
0003630912.tif 000004
【図４】
0003630912.tif 000005
【図５】
0003630912.tif 000006
【図６】
0003630912.tif 000007
【図７】
0003630912.tif 000008
【図８】
0003630912.tif 000009
【図９】
0003630912.tif 000010
【図１０】
0003630912.tif 000011
【図１１】
0003630912.tif 000012
【図１２】
0003630912.tif 000013
【図１３】
0003630912.tif 000014